(57)【要約】      （修正有）【課題】簡易な構造であって、不用意に湯を吐水することがなく、操作性が良い水栓を提供すること。【解決手段】この発明の水栓は、水栓本体１２内に装着された、シングルカートリッジ１４が、湯流入孔及び水流入孔が設けられた固定ディスク２０と、該固定ディスクに摺動可能に重合配置され、湯流入孔から流入される湯及び水流入孔から流入される水を湯水流出孔に流出させる湯水連通路を有する可動ディスク４０とを備え、前記可動ディスク４０を操作する操作レバー１６を第１の方向側及び前記第１の方向とは反対側である第２の方向側へ回動することによって、湯及び水の吐出量を調節するように構成され、前記湯流入孔及び水流入孔が、前記固定ディスクの前後方向の中心線に対して対称に設けられると共に、前記中心線上に操作レバー１６が位置するときに止水するように構成されている。【選択図】図２
2020133385.tif 000002
【特許請求の範囲】
【請求項１】
水栓本体内にシングルカートリッジが装着された、水栓において、
前記シングルカートリッジは、湯流入孔及び水流入孔が設けられた固定ディスクと、該固定ディスクに摺動可能に重合配置され、湯流入孔から流入される湯及び水流入孔から流入される水を湯水流出孔に流出させる湯水連通路を有する可動ディスクとを備え、
前記可動ディスクを操作する操作ハンドルを第１の方向側及び前記第１の方向とは反対側である第２の方向側へ回動することによって、湯及び水の吐出量が調節されるように構成され、
前記湯流入孔及び水流入孔が、前記固定ディスクの前後方向の中心線に対して対称に設けられると共に、
前記中心線上に操作ハンドルが位置するときに止水するように構成されたことを特徴とする、水栓。
【請求項２】
前記固定ディスクの湯流入孔及び水流入孔は、腎臓型の長孔で形成されると共に、前記固定ディスクの前後方向の中心線に対して対称に形成されていることを特徴とする、請求項１に記載の水栓。
【請求項３】
前記操作ハンドルを、その左右方向の中央位置から、第１の方向である左方向及び第２の方向である右方向に回動することによって、固定ディスクの湯流入孔又は水流入孔と可動ディスクの湯水連通路とが繋がり、湯又は水が吐出されるように構成されていることを特徴とする、請求項１又は２に記載の水栓。
【請求項４】
前記固定ディスク及び可動ディスクは、操作ハンドルが止水位置にあることを知らせるクリック機構が設けられたことを特徴とする、請求項１ないし３のいずれかに記載の水栓。
【請求項５】
可動ディスクは、可動ディスクの回転軸方向に伸びる直線に垂直な面上において、第１の方向に回転したときに固定ディスクの水流入孔より湯水連通路に水が流入し、且つ、第２の方向に回転したときに、固定ディスクの湯流入孔より湯水連通路に湯が流入するように形成され、
第１の方向及び第２の方向に回転した角度により、吐水量が決定されることを特徴とする、請求項１ないし４のいずれかに記載の水栓。
【請求項６】
湯流入孔及び水流入孔が設けられた固定ディスクと、該固定ディスクに摺動可能に重合配置され、湯流入孔から流入される湯及び水流入孔から流入される水を湯水流出孔に流出させる湯水連通路を有する可動ディスクとを備え、
前記可動ディスクを操作する操作ハンドルを第１の方向側及び前記第１の方向とは反対側である第２の方向側へ回動することによって、湯又は水が吐出され、その吐出量が調節されるように構成された水栓と、
給湯管から送水されてきた湯の温度を調節する温度調節手段が、湯流入孔に接続された給湯管に配設された、水栓装置。
【請求項７】
前記温度調節手段は、サーモスタット又はミキシングを含む温度調節器である、請求項６に記載の水栓装置。
【請求項８】
前記温度調節手段は、水流入孔に接続された給水管から分岐した給水管が接続され、
常に水が供給されるように構成され、給湯管で送水されてきた湯と混合して湯の温度を調節するように構成された、請求項６または７に記載の水栓装置。
【請求項９】
更に、前記給湯管に電磁弁を配設され、
前記電磁弁の開弁作動により湯が湯流入孔に供給され、前記電磁弁の閉弁作用により湯の供給が停止されるように構成され、
更に、人体を検知する検知手段が配設され、前記検知手段により人体を検知したことにより送られる電気信号により前記電磁弁が作動するように構成された、請求項６ないし８のいずれかに記載の水栓装置。
【発明の詳細な説明】
【技術分野】
【０００１】
本発明は、水栓及び水栓装置に関し、特に、例えば、台所、洗面所、風呂等において使用され、１つの操作レバーで水や湯の流量を簡単に調節することができる水栓に関する。
【背景技術】
【０００２】
現在、種々のシングルレバー式湯水混合栓が提案されている。
この種のシングルレバー式湯水混合栓は、操作レバーを左右回動することにより吐出水の
温度を調整し、操作レバーの先端を上下動させることにより吐出水の流量を調節すること
ができるように構成されている。
【先行技術文献】
【特許文献】
【０００３】
【特許文献１】特開２００２−２２０４０号公報
【発明の概要】
【発明が解決しようとする課題】
【０００４】
一般に、この種のシングルレバー水栓を利用する利用者は、操作レバーを左右方向にお
ける中央位置で操作することが多い。ところが、この中央位置においては、湯と水とが混
合された混合水が吐出されることが多く、特に湯を必要としない場合であっても、湯が吐
水されることになり、不必要な湯を垂れ流すことによる無駄が発生している。
そこで、特許文献１に示すような湯水混合水栓が提案されている。
この湯水混合水栓によれば、操作ハンドルを右方向に回転操作すると、水栓に供給され
た温度調整済みの混合湯水を吐出し、左方向に回転操作すると、水または湯を吐出するよ
うに構成されている。
この発明においても、内部構造が非常に複雑となり、利用者においても、右方向あるい
は左方向においてどの程度操作ハンドルを回転させると、所望する湯または水あるいは湯
水混合水が吐出されるのか分からないことが多い。
この発明は、上記事情に鑑みなされたもので、簡易な構造であって、不用意に湯を吐水
することがなく、操作性が良い水栓及び水栓装置を提供することである。
【課題を解決するための手段】
【０００５】
この発明にかかる水栓は、水栓本体内にシングルカートリッジが装着された、水栓にお
いて、前記シングルカートリッジが、湯流入孔及び水流入孔が設けられた固定ディスクと
、該固定ディスクに摺動可能に重合配置され、湯流入孔から流入される湯及び水流入孔か
ら流入される水を湯水流出孔に流出させる湯水連通路を有する可動ディスクとを備え、前
記可動ディスクを操作する操作レバーを第１の方向側及び前記第１の方向とは反対側であ
る第２の方向側へ回動することによって、湯及び水の吐出量を調節するように構成され、
前記湯流入孔及び水流入孔が、前記固定ディスクの前後方向の中心線に対して対称に設け
られると共に、前記中心線上に操作レバーが位置するときに止水するように構成されたこ
とを特徴とする。
この発明にかかる水栓は、前記固定ディスクの湯流入孔及び水流入孔を、腎臓型の長孔
で形成されると共に、前記固定ディスクの前後方向の中心線に対して対称に形成すればな
お良い。
この発明にかかる水栓は、前記操作レバーを、その左右方向の中央位置から、第１の方
向である左方向及び第２の方向である右方向に回動することによって、固定ディスクの湯
流入孔又は水流入孔と可動ディスクの湯水連通路とが繋がり、湯又は水が吐出されるよう
に構成すればなお良い。
この発明にかかる水栓は、前記固定ディスク及び可動ディスクに、操作レバーが止水位
置にあることを知らせるクリック機構が設けられるとなお良い。
この発明にかかる水栓は、可動ディスクが、可動ディスクの回転軸方向に伸びる直線に
垂直な面上において、第１の方向に回転したときに固定ディスクの水流入孔より湯水連通
路に水が流入し、且つ、第２の方向に回転したときに、固定ディスクの湯流入孔より湯水
連通路に湯が流入するように形成され、第１の方向及び第２の方向に回転した角度により
吐水量が決定されるようにすればなお良い。
この発明にかかる水栓装置は、湯流入孔及び水流入孔が設けられた固定ディスクと、該固定ディスクに摺動可能に重合配置され、湯流入孔から流入される湯及び水流入孔から流入される水を湯水流出孔に流出させる湯水連通路を有する可動ディスクとを備え、前記可動ディスクを操作する操作ハンドルを第１の方向側及び前記第１の方向とは反対側である第２の方向側へ回動することによって、湯又は水が吐出され、その吐出量が調節されるように構成された水栓と、給湯管から送水されてきた湯の温度を調節する温度調節手段が、湯流入孔に接続された給湯管に配設された、水栓装置である。
この発明にかかる水栓装置は、前記温度調節手段が、サーモスタット又はミキシングを含む温度調節器であると、なお良い。
この発明にかかる水栓装置は、前記温度調節手段が、水流入孔に接続された給水管から分岐した給水管が接続され、常に水が供給されるように構成され、給湯管で送水されてきた湯と混合して湯の温度を調節するように構成されると、なお良い。
この発明にかかる水栓装置は、更に、前記給湯管に電磁弁を配設され、前記電磁弁の開弁作動により湯が湯流入孔に供給され、前記電磁弁の閉弁作用により湯の供給が停止されるように構成され、更に、人体を検知する検知手段が配設され、前記検知手段により人体を検知したことにより送られる電気信号により前記電磁弁が作動するように構成されると、なお良い。
【発明の効果】
【０００６】
この発明によれば、一つの操作ハンドルを中央の止水位置から、一方向に回すことによ
り水が吐出され、反対方向に回すことにより湯が吐出され、中央位置において止水される
ことにより、水栓を利用する利用者にとって極めて分かりやすい操作方法により不用意に
湯を吐水することがなく、操作性が良い水栓及び水栓装置を提供することができる。
【０００７】
この発明の上述の目的、その他の目的、特徴及び利点は、図面を参照して行う以下の発明を実施するための形態の説明から一層明らかとなろう。
【図面の簡単な説明】
【０００８】
【図１】本発明の一実施の形態である水栓のカートリッジの斜視図解図である。
【図２】本発明の一実施の形態である水栓の断面図解図である。
【図３】図１図示カートリッジの断面図解図である。
【図４】図１図示カートリッジの断面図解図である。
【図５】固定ディスクの図解図であり、（Ａ）は平面図解図、（Ｂ）は底面図解図、（Ｃ）は側面図解図、（Ｄ）は断面図解図である。
【図６】可動ディスクの図解図であり、（Ａ）は平面図解図、（Ｂ）は底面図解図、（Ｃ）は側面図解図、（Ｄ）は断面図解図である。
【図７】上カバーの図解図であり、（Ａ）は平面図解図であり、（Ｂ）は底面図解図であり、（Ｃ）は正面図解図であり、（Ｄ）は側面図解図であり、（Ｅ）は断面図解図である。
【図８】下カバーの図解図であり、（Ａ）は平面図解図であり、（Ｂ）は底面図解図であり、（Ｃ）は正面図解図であり、（Ｄ）は背面図解図であり、（Ｅ）は側面図解図であり、（Ｆ）は断面図解図である。
【図９】サポートプレートの図解図であり、（Ａ）は平面図解図であり、（Ｂ）は底面図解図であり、（Ｃ）は正面図解図であり、（Ｄ）は断面図解図である。
【図１０】ディスクガイドの図解図であり、（Ａ）は平面図解図であり、（Ｂ）は底面図解図であり、（Ｃ）はＡ―Ａ断面図解図であり、（Ｄ）はＢ−Ｂ断面図解図であり、（Ｅ）は正面図解図であり、（Ｆ）は側面図解図である。
【図１１】第１パッキンを表す図解図であり、（Ａ）は平面図解図であり、（Ｂ）はＡ−Ａ断面図解図である。
【図１２】第２パッキンを表す図解図であり、（Ａ）は平面図解図であり、（Ｂ）はＡ−Ａ断面図解図である。
【図１３】動作原理を示す図解図であり、（Ａ）は操作レバーが左右方向の中央位置において、可動ディスクの湯水連通路が固定ディスクの湯流入孔及び水流入孔に連通しない状態を示す説明図であり、（Ｂ）（Ｃ）（Ｄ）は、操作レバーが左右方向の左側において、湯水連通路が水流入孔に連通する状態を示す説明図である。
【図１４】動作原理を示す図解図であり、（Ａ）は操作レバーが左右方向の中央位置において、可動ディスクの湯水連通路が固定ディスクの湯流入孔及び水流入孔に連通しない状態を示す説明図であり、（Ｂ）（Ｃ）（Ｄ）は、操作レバーが左右方向の右側において、湯水連通路が湯流入孔に連通する状態を示す説明図である。
【図１５】図３Ａ―Ａ断面図解図であり、（Ａ）は止水状態のときを表す図であり、（Ｂ）は湯の最大吐水量の状態のときを表す図であり、（Ｃ）は水の最大吐水量の状態のときを表す図である。
【図１６】は、クリック機構を表す図３Ｂ−Ｂ断面図解図であり、（Ａ）は止水状態のときを表す図であり、（Ｂ）及び（Ｃ）はディスクガイドが回転している状態のときを表す図であり、（Ｄ）は湯の最大吐水量の状態のときを表す図であり、（Ｅ）は水の最大吐水量の状態のときを表す図である。
【図１７】別のクリック機構を表す図であり、（Ａ）は上カバー、ディスクガイド及びクリックリングの断面図解図であり、（Ｂ）はディスクガイドの突出部の斜視図解図である。
【図１８】本発明の第１の実施の形態であるカートリッジを含む、水栓装置の斜視図解図である。
【図１９】本発明の第２の実施の形態である水栓装置の斜視図解図である。
【図２０】本発明の第３の実施の形態である水栓装置の斜視図解図である。
【図２１】は、本発明の一実施の形態である水栓の説明図である。
【図２２】は、本発明の一実施の形態である水栓の説明図である。
【発明を実施するための形態】
【０００９】
本発明の一実施の形態である水栓について説明する。
図１は、発明の一実施の形態である水栓のカートリッジの斜視図解図である。
図２は、本発明の一実施の形態である水栓の断面図解図である。
図３は、図１図示カートリッジの断面図解図である。
図４は、図１図示カートリッジの断面図解図である。
図５は、固定ディスクの図解図であり、（Ａ）は平面図解図、（Ｂ）は底面図解図、（Ｃ）は側面図解図、（Ｄ）は断面図解図である。
本発明にかかる水栓１０は、水栓本体１２内にシングルカートリッジ１４が装着された
、操作ハンドルが単一の水栓１０であり、操作ハンドルを構成する操作レバー１６を回動
させることにより、湯水吐水部から吐出される水又は湯の流量を変化させるものである。
【００１０】
前記シングルカートリッジ１４は、送水されてきた水及び湯を吐水管（口）に、水と湯とを切り替え且つ水及び湯の流量を調節する水及び湯の切り替え・流量調節手段である。
すなわち、シングルカートリッジ１４は、前記可動ディスク４０を操作する操作レバー１６を第１の方向側及び前記第１の方向とは反対側である第２の方向側へ回動することによって、湯及び水の吐出量を調節するように構成され、前記湯流入孔２２及び水流入孔２４が、前記固定ディスク２０の前後方向の中心線Ｃに対して同じ角度範囲内に設けられると共に、前記中心線Ｃの上に操作レバー１６が位置するときに、止水するように構成されている。
【００１１】
前記シングルカートリッジ１４は、湯流入孔２２及び水流入孔２４が設けられた固定デ
ィスク２０と、該固定ディスク２０に摺動可能に重合配置され、湯流入孔２２から流入さ
れる湯及び水流入孔２４から流入される水を湯水流出孔に流出させる湯水連通路４２を有
する可動ディスク４０とを備える。
【００１２】
前記固定ディスク２０の湯流入孔２２及び水流入孔２４は、腎臓型の長孔で形成される
と共に、前記固定ディスク２０の前後方向の中心線Ｃに対して対称に形成されている。  
【００１３】
可動ディスク４０は、可動ディスク４０の回転軸方向に伸びる直線に垂直な面上におい
て、第１の方向に回転したときに固定ディスク２０の水流入孔２４より湯水連通路４２に
水が流入し、且つ、第２の方向に回転したときに、固定ディスク２０の湯流入孔２２より
湯水連通路４２に湯が流入するように形成され、第１の方向及び第２の方向に回転した角
度により、吐水量が決定される。
【００１４】
シングルカートリッジ１４は、前記操作レバー１６を、その左右方向の中央位置から、
第１の方向である左方向及び第２の方向である右方向に回動することによって、固定ディ
スク２０の湯流入孔２２又は水流入孔２４と可動ディスク４０の湯水連通路４２とが繋が
り、湯又は水が吐出されるように構成されている。
【００１５】
可動ディスク４０は、可動ディスクの回転軸Ｐ方向に伸びる直線に垂直な面上において
固定ディスク２０に対して相対回転摺動を行い、第１の方向に回転したときに固定ディス
ク２０の水流入孔２４より湯水連通路４２に水が流入し、且つ、第２の方向に回転したと
きに、固定ディスク２０の湯流入孔２６より湯水連通路４２に湯が流入するように形成さ
れ、第１の方向及び第２の方向に回転した角度により、吐水量が決定される。
【００１６】
水栓１０は、操作レバー１６が止水位置にあることを知らせるクリック機構が設けられ
ている。
【００１７】
本発明に係るシングルカートリッジ１４の基本的な動作原理は、操作レバー１６を回転
軸Ｐを中心にして回動させることにより、操作レバー１６に連結された回転軸を構成する
栓棒１５０を中心に回転し、この回転に伴い可動ディスク４０が固定ディスク２０に対し
て相対回転摺動を行い、固定ディスク２０に設けられた湯流入口２２又は水流入口２４と
可動ディスク４０に設けられた湯水連通路４２との重なる面積の大きさを変化させて、湯
水吐水部を構成する吐出管２４０から吐出される水又は湯の流量を変化させるものである
。
【００１８】
この実施の形態においては、水又は湯の流量が最大流量に到達するまでに、略一定の比
例的に増大するように構成されている。
しかし、吐水部から吐出される水又は湯の流量が、流量の微調整を行いやすくするため
に、操作レバー１６の操作量に対する流量変化率を変化するように構成してもよい。その
場合には、例えば、固定ディスク２０の水流入口又は湯流入口の形状を変化させることに
より、変更するようにすれば良い。
【００１９】
固定ディスク２０の湯流入孔２２は、前後方向の中心線Ｃ（中央線）側の第１の孔縁６
０と、第１の孔縁６０の手前側に続く第２の孔縁６２と、固定ディスク２０の周縁側の第
３の孔縁６４と、第１の孔縁６０の向こう側と第３の孔縁６４の向こう側との間に接続し
ている第４の孔縁６６とを含む。
【００２０】
固定ディスク２０の水流入孔２４は、前後方向の中心線Ｃ（中央線）側の第１の孔縁７
０と、第１の孔縁７０の手前側に続く第２の孔縁７２と、固定ディスク２０の周縁側の第
３の孔縁７４と、第１の孔縁７０の向こう側と第３の孔縁７４の向こう側との間に接続し
ている第４の孔縁７６とを含む。
湯流入孔２２の第１の孔縁６０と水流入孔２４の第１の孔縁７０とは、平行である。
湯流入孔２２の第２の孔縁６２と水流入孔２４の第２の孔縁７２とは、手前側に向かう
に従って間隔が広がるテーパー状である。
湯流入孔２２の第３の孔縁６４と水流入孔２４の第３の孔縁７４とは、外側に広がる円
弧状である。
湯流入孔２２の第４の孔縁６６と水流入孔２４の第４の孔縁７６とは、中央線に向かう
に従って手前側に下がる傾斜状である。
【００２１】
可動ディスク４０の湯水連通路４２は、前後方向の中心線Ｃ（中央線）側の第１の孔縁
８０と、第１の孔縁８０の右側から手前側に延びる第２の孔縁８２と、第１の孔縁８０の
左側から手前側に延びる第３の孔縁８４と、第２の孔縁８２の手前側端と第３の孔縁８４
の手前側端とに接続されている第４の孔縁８６と含む。
第１の孔縁８０は、向こう側に膨らむ円弧状である。
第２の孔縁８２と第３の孔縁８４とは、直線状であり、手前側に向かうに従ってその間
隔が広がるテーパー状である。
第４の孔縁８６は、手前側に膨らむ円弧状である。
【００２２】
固定ディスク２０の湯水流出孔２６は、前後方向の中心線Ｃ（中央線）側の第１の孔縁
９０と、第１の孔縁９０の右側から向こう側に延びる第２の孔縁９２と、第１の孔縁９０
の左側から向こう側に延びる第３の孔縁９４と、第２の孔縁９２の向こう側端と第３の孔
縁９４の向こう側端とに接続されている第４の孔縁９６と含む。
第１の孔縁９０は、手前側に膨らむ円弧状である。
第２の孔縁９２と第３の孔縁９４とは、直線状であり、向こう側に向かうに従ってその
間隔が広がるテーパー状である。
第４の孔縁９６は、向こう側に膨らむ円弧状である。
【００２３】
可動ディスク４０の湯水連通路４２は、操作レバー１６が固定ディスク２０の前後方向
の中心線Ｃに平行な位置に位置しているときに、前記中心線Ｃと平行に形成され、固定デ
ィスク２０の湯流入孔２２及び水流入孔２４と重ならないように形成されている。
従って、可動ディスク４０は、固定ディスク２０の湯流入孔２２及び水流入孔２４を閉
塞している。
この止水状態では、可動ディスク４０が回転していないので、可動ディスク４０の回転
角度は、０°である。
操作レバー１６を第1の方向である反時計方向に回していくと、栓棒を介して可動ディ
スク４０が固定ディスク２０の摺動面上を回転する。そして、可動ディスク４０の湯水連
通路４２と固定ディスク２０の水流入孔２４とが繋がる。
また、操作レバー１６を第2の方向である時計方向に回転していくと、栓棒を介して可
動ディスク４０が固定ディスク２０の摺動面上を回転する。そして、可動ディスク４０の
湯水連通路４２と固定ディスク２０の湯流入孔２２とか繋がる。
【００２４】
水栓１０は、水栓本体１２の内に、給湯器に接続されている湯流入通路２２０と、水道
管に接続されている水流入通路２２２と、湯または水が流出する湯水流出通路２２４とが
設けられている。
水栓本体１２の下部には、前記湯流入通路２２０に連通し、上方へ伸びる吐出管２４０
が配設されている。
【００２５】
水栓本体１２は、上カバー１１０と、下カバー１２０とを連結して、円柱状体のシング
ルカートリッジ１４が形成されている。
上カバー１１０と下カバー１２０とは、上カバー１１０の下端と下カバー１２０の上端
とを合わせて、連結される。
上カバー１１０の下端の近傍には、下カバー１２０を固定するための連結穴１１６が穿
ち設けられ、一方、下カバー１２０の周縁には上カバー１１０と固定するための連結突起
１２４が突き出し設けられている。
而して、連結された上カバー１１０のカートリッジ収容部１１８と下カバー１２０のカー
トリッジ収容部１２８とが合わさり、円筒状の筒内に、固定ディスク２０及び可動ディス
ク４０が収容される。
【００２６】
上カバー１１０と下カバー１２０とは、その内部に形成された空間（カートリッジ収容
部１１８及びカートリッジ収容部１２８を含む）内に、固定ディスク２０及び可動ディス
ク４０が配設されたシングルカートリッジ１４を構成する。
【００２７】
シングルカートリッジ１４は、可動ディスク４０と、可動ディスク４０の上に取り付け
られるサポートガイド１３０と、ディスクガイド１４０と、栓棒１５０と、固定ディスク
２０と、固定ディスク２０の下方に配設された第１パッキン１８０と、第２パッキン１９
０とを含む。
【００２８】
上カバー１１０は、可動ディスク４０を、上カバー１１０内において回動自在に取り付
けるためのサポートプレート１３０が配設されている。
【００２９】
サポートプレート１３０の上部にはディスクガイド１４０が取り付けられており、ディ
スクガイド１４０には栓棒１５０がピン１６０により回動自在に取り付けられている。
【００３０】
栓棒１５０の上部に、レバー受け１７０が取り付けられ、レバー受け１７０を介して操
作レバー１６が取り付けられている。
【００３１】
下カバー１２０は、下方に第２パッキン１９０が固定され、第２パッキン１９０の上方
に第１パッキン１８０が固定されている。下カバー１２０は、第１パッキン１８０の上方
に、固定ディスク２０が固定されている。
下カバー１２０、第１パッキン１８０、第２パッキン１９０及び固定ディスク２０は、
湯流入通路２２０、水流入通路２２２及び湯水流出通路２２４が形成されている。
湯流入通路２２０を介して湯が固定ディスク２０に供給され、水流入通路２２２を介し
て水が固定ディスク２０に供給される。
【００３２】
サポートプレート１３０は、可動ディスク４０と同心円状の円柱状体である。
サポートプレート１３０は、その上面の中心には、栓棒１５０を取り付けるための平面
視方形状の栓棒取付穴１３２が穿設され、その下面には、中心より円周方向に広がる湯水
の転回穴１３４が配設されている。
サポートプレート１３０は、その下面の周縁近傍において、周方向に、可動ディスク４
０を取り付けるための可動ディスク取付部１３６が穿ち設けられている。
【００３３】
ディスクガイド１４０は、サポートプレート１３０に取り付けられる側に形成されたベ
ース部１４２と、栓棒１５０が取り付けられる突出部１４４とを備える。
ベース部１４２は円柱状で、突出部１４４は円柱状であり、ベース部１４２と突出部１
４４とは同心円状に形成されている。
【００３４】
ベース部１４２は、その下面においてサポートプレート１３０の上面に取り付けられる
。ベース部１４２及び突出部１４４は、その中心近傍において、垂直方向に伸びる栓棒取
付孔１４６が貫設されており、栓棒取付孔１４６には、栓棒１５０が、貫挿されている。
栓棒１５０は、突出部１４４に穿ち設けられたピン取付孔１４８と栓棒１５０に穿ち設
けられたピン取付穴１５２とに、ピン１６０を圧入して、ディスクガイド１４０に取り付
けられている。
【００３５】
ディスクガイド１４０のベース部１４２は、正面側において、上カバー１１０の内側に
設けられた旋回停止部１１４（湯側停止部１１４ａ、水側停止部１１４ｂ)に突き当たる
旋回停止部１４２Ａが、突き出し設けられている。
【００３６】
サポートプレート１３０は、周縁側において前後２箇所に、可動ディスク取付部１３６
より突き出し設けられた可動ディスク４０を固定するための固定凸部１３８が設けられて
いる。
【００３７】
可動ディスク４０は、サポートプレート１３０の可動ディスク４０を固定するための固
定凸部１３８が嵌合する固定凹部４８が、設けられている。固定凹部４８は、前後一対設
けられている。
【００３８】
サポートプレート１３０及びディスクガイド１４０は、円筒状の上カバー１１０の空洞
内に装填され、栓棒１５０によって連結固定されており、栓棒１５０の回転により、固定
ディスク２０の上において一体的に旋回するように構成されている。
【００３９】
可動ディスク４０は、Ｏリング２００を介在させて、サポートプレート１３０の可動デ
ィスク取付部１３６に取り付けられている。
可動ディスク４０の湯水連通路４２とサポートプレート１３０の転回穴１３４との間に
は、消音アミ２０２が取り付けられ、水流の音をできるだけ小さくなるように、形成され
ている。
【００４０】
上カバー１１０は、上端の近傍に、クリックリング２１０を取り付けるためのクリック
リング取付部１１２が形成されている。そのクリックリング取付部１１２に、クリック機
構を構成する弾力性を有するクリックリング２１０が嵌装されている。
クリック機構は、操作レバー１６を前後方向における中心線Ｃ上において、停止させて
、可動ディスク４０を止水位置で停止させるように形成されている。
【００４１】
クリックリング２１０は、弾力性を有する金属片で形成され、その中央付近において、
係止凸部２１２が形成されている。
クリックリング２１０は、その係止凸部２１２がディスクガイド１４０の係止凹部２１
８に嵌合したとき、回転しているディスクガイド１４０が停止してサポートプレート１３
０及び可動ディスク４０が停止するように構成されている。
【００４２】
固定ディスク２０は、下カバー１２０のカートリッジ収容部１２８内に収容される。
固定ディスク２０は、正面側において、下カバー１２０に固定ディスク２０を固定する
ための固定ディスク固定部２８が形成されている。
下カバー１２０は、正面側において、カートリッジ収容部１２８側に収容された固定デ
ィスク２０に向けて突き出し設けられた固定ディスク固定部１２６を備える。
【００４３】
下カバー１２０のカートリッジ収容部１２８に収容された固定ディスク２０の固定ディ
スク固定部２８と下カバー１２０の固定ディスク固定部１２６とが係合されて、固定ディ
スク２０は、下カバー１２０に固定される。
【００４４】
固定ディスク２０は、湯流入孔２２に続いてその下方に、湯流入通路２２０が形成され
ている。
更に、固定ディスク２０は、水流入孔２４に続いてその下方に、水流入通路２２２が形
成されている。
更に、固定ディスク２０は、湯水連通路４２に続いてその下方に、湯水流出通路２２４
が形成されている。
【００４５】
固定ディスク２０の湯流入通路２２０は、第１パッキン１８０の湯流入通路２２０、第
２パッキン１９０の湯流入通路２２０及び下カバー１２０の湯流入通路２２０に連通して
いる。
固定ディスク２０の水流入通路２２２は、第１パッキン１８０の水流入通路２２２、第
２パッキン１９０の水流入通路２２２及び下カバー１２０の水流入通路２２２に連通して
いる。
固定ディスク２０の湯水流出通路２２４は、第１パッキン１８０の湯水流出通路２２４
、第２パッキン１９０の湯水流出通路２２４及び下カバー１２０の湯水流出通路２２４に
連通している。
【００４６】
給湯器（図示せず)から給湯された湯は、下カバー１２０（第１パッキン１８０及び第
２パッキン１９０を含む)の湯流入通路２２０を通り、固定ディスク２０の湯流入孔２２
に至り、可動ディスク４０の湯水連通路４２を通り、湯水流出通路２２４を通過して吐水
管２４０に到達し、吐水管２４０の吐水口５０から吐水される。
一方、給水管（水道管）から給水された水は、下カバー１２０（第１パッキン１８０及び第２パッキン１９０を含む)の水流入通路２２２を通り、固定ディスク２０の水流入孔２４から可動ディスク４０の湯水連通路４２を通り、湯水流出通路２２４を通過して吐水管２４０に到達し、吐水管２４０の吐水口５０から吐水される。
【００４７】
前記実施の形態によれば、操作ハンドルのレバーを手前側から向こう側に至る中央線Ｃ
の位置に停止させることにより、止水状態となり、吐水するときにおいては、第１の方向
である右側（反時計方向)に操作ハンドルを回すことにより、回す角度が増えるにしたが
って、吐水される水量が徐々に増量され、また、湯を吐水するときにおいては、操作ハン
ドルを第２の方向である左側（時計方向)に回すことにより、回す角度が大きくなるに従
って徐々に吐水される湯の量が増量される。
従って、水栓を操作する操作者は、誤ることなく、止水、水の吐水、湯の吐水を選択す
ることができ、また、水量を選択することができる。
〔第２の実施の形態〕
【００４８】
次に、前記第１の実施の形態の水栓を利用した水栓装置について説明する。
この発明にかかる第２の実施の形態の水栓装置は、水及び湯の吐止水・流量調節を行う湯水一体の単一水栓１０に温度調節機能を付与することで、利便性を高めた水栓装置である。
【００４９】
前記湯水一体の単一水栓１０は、給湯器などの給湯機器作られた湯を、そのまま吐水するように構成されているために、水栓の使用者の好みなどを反映した湯の温度にならない。水栓の使用者が好む温度にしたいと思っても、湯の温度を調節できない。
このような問題を解決したのが第２の実施の形態の水栓装置である。
【００５０】
この発明にかかる水栓装置３１０は、水栓本体１２内にシングルカートリッジ１４が装着された、操作ハンドルが単一の水栓１０を備え、水栓１０は、操作ハンドルを構成する操作レバー１６を回動させることにより、湯水吐水部から吐出される水又は湯の流量を変化させるものである。
【００５１】
前記シングルカートリッジ１４は、送水されてきた水及び湯を吐水管（口）に、水と湯とを切り替え且つ水及び湯の流量を調節する水及び湯の切り替え・流量調節手段である。
すなわち、シングルカートリッジ１４は、前記可動ディスク４０を操作する操作レバー１６を第１の方向側及び前記第１の方向とは反対側である第２の方向側へ回動することによって、湯及び水の吐出量を調節するように構成され、前記湯流入孔２２及び水流入孔２４が、前記固定ディスク２０の前後方向の中心線Ｃに対して同じ角度範囲内に設けられると共に、前記中心線Ｃの上に操作レバー１６が位置するときに、止水するように構成されている。
【００５２】
前記シングルカートリッジ１４は、水栓１０が湯流入孔２２及び水流入孔２４が設けられた固定ディスク２０と、該固定ディスク２０に摺動可能に重合配置され、湯流入孔２２から流入される湯及び水流入孔２４から流入される水を湯水流出孔２６に流出させる湯水連通路４２を有する可動ディスク４０とを備えている。
【００５３】
水栓装置３１０は、前記可動ディスク４０を操作する操作ハンドル（操作レバー１６）を第１の方向側及び前記第１の方向とは反対側である第２の方向側へ回動することによって、湯又は水が吐出され、その吐出量が調節されるように構成された水栓１０と、給湯管３１２から送水されてきた湯の温度を調節する温度調節手段である温度調節器３２０が、湯流入孔２２に接続された給湯管３１２に配設されている。
【００５４】
給湯管３１２は、止水栓３２２に近い領域に、温度調節手段である温度調節機器３２０が配設され、湯流入孔２２から最適な湯温の湯が、流入するように構成されている。
【００５５】
温度調節機器３２０は、サーモスタット又はミキシングを含む温度調節器である。
前記温度調節手段である温度調節機器３２０は、水流入孔２４に接続された給水管３１４に設けられた分岐部３１８から分岐した分岐給水管３１６が接続され、常に水が給水管３１４から供給されるように構成され、給湯管３１２で送水されてきた湯と混合して湯の温度を調節するように構成されている。
更に、人体を検知する検知手段が配設され、前記検知手段により人体を検知したことにより送られる電気信号により前記電磁弁が作動するように構成されている。
【００５６】
第２の実施の形態の水栓装置３１０は、制御部３５０と、人感センサー３５２と、電磁弁３２４及び電磁弁３２８と、これらを接続する信号線及び電気配線３６０、３６２、３６４及び３６６を備えている。
【００５７】
電磁弁３２４は、水栓本体１２の湯流入通路２２０に対して湯を供給する給湯管３１２と止水栓(湯)３２２との間に組み込まれている。この実施の形態においては、電磁弁３２４は、温度調節機器３２０より湯流入通路２２０に近い位置に配設されている。
もう一方の電磁弁３２８は、水栓本体１２の水流入通路２２２に対して水を供給する給水管３１４と止水栓３４０との間に組み込まれている。この実施の形態においては、電磁弁３２８は、分岐部３１８より水流入通路２２２に近い位置に配設されている。
【００５８】
電磁弁３２４及び３２８は、制御部３５０と信号線及び電気配線３６２、３６４とによって接続されている。
電磁弁３２４の開弁動作によって、水栓本体１２に湯が供給され、電磁弁３２８の開弁動作によって、水が供給される。
電磁弁３２４および３２８の閉弁動作によって、湯及び水の供給が停止される。
【００５９】
人感センサー３５２は、人体を検知する検知手段であり、電磁弁３２４及び３２８の開閉を遠隔操作することにより、操作レバー１６で予め調整した水量を吐水口５０から、吐出することができる。
【００６０】
制御部３５０は、人感センサー３５２より入力された各信号等を取得し、その取得された各信号などに基づいて、温度調節機器３２０と、電磁弁３２４及び３２８とを制御するために設けられる。
【００６１】
第２の実施の形態の水栓装置３１０は、流し台６００に配設されている。
流し台６００は、天板６１２と、天板６１２に設けられたシンク６１４と、シンク６１４の下側に設けられたキャビネット６１６とを備える。
水栓装置３１０の水栓１０は、その水栓本体１２を天板６１２に連設された水栓設置領域６２０に取り付けることにより、配設されている。
【００６２】
前記水栓１０に接続される給水管を構成する給湯管３１２及び給水管３１４の上端側が、水栓設置領域６２０に配設され、給水管を構成する給湯管３１２及び給水管３１４の下端側が、キャビネット６１６の内部又は外部に配設されている。
給湯管３１２は、電磁弁３２４を介して、更に止水栓（湯）３２２に接続され、給湯器３２６に接続されている。
給水管３１４は、電磁弁３２８を介して、止水栓３４０に接続され、止水栓３４０に、水道管３４２が接続されている。
〔第３の実施の形態〕
【００６３】
次に、前記第１の実施の形態の水栓を利用した水栓装置について説明する。
この発明にかかる第３の実施の形態の水栓装置は、水及び湯の吐止水・流量調節を行う湯水一体の単一水栓１０に温度調節機能を付与することで、利便性を高めた水栓装置である。
【００６４】
前記湯水一体の単一水栓１０は、給湯器などの給湯機器作られた湯を、そのまま吐水するように構成されているために、水栓の使用者の好みなどを反映した湯の温度にならない。水栓の使用者が好む温度にしたいと思っても、湯の温度を調節できない。
このような問題を解決したのが第３の実施の形態の水栓装置である。
【００６５】
第３の実施の形態の水栓装置４１０は、水栓１０を構成するシングルカートリッジ１４が装着された水栓本体１２と、吐水口５０とが分離されており、洗面化粧台７００に、水栓本体１２と吐水口５０とが別々に取り付けられている。
水栓１０は、シングルカートリッジ１４が装着された水栓本体１２の操作ハンドルを構成する操作レバー１６を回動させることにより、湯水吐水部である吐水口５０から吐出される水又は湯の流量を変化させるものである。
【００６６】
前記シングルカートリッジ１４は、送水されてきた水及び湯を吐水管（口）に、水と湯とを切り替え且つ水及び湯の流量を調節する水及び湯の切り替え・流量調節手段である。
すなわち、シングルカートリッジ１４は、前記可動ディスク４０を操作する操作レバー１６を第１の方向側及び前記第１の方向とは反対側である第２の方向側へ回動することによって、湯及び水の吐出量を調節するように構成され、前記湯流入孔２２及び水流入孔２４が、前記固定ディスク２０の前後方向の中心線Ｃに対して同じ角度範囲内に設けられると共に、前記中心線Ｃの上に操作レバー１６が位置するときに、止水するように構成されている。
【００６７】
シングルカートリッジ１４が装着された水栓本体１２と吐水口５０との間に、給水・給湯管４８２が配置されている。
前記給水・給湯管４８２は、電磁弁４２４が、配設されている。
電磁弁４２４の開弁動作によって、水栓本体１２のシングルカートリッジ１４を切り換えてそれから給水・給湯管４８２に給水された水が、吐水管２４０の吐水口５０に供給される。
電磁弁４２４の閉弁動作によって、吐水管２４０の吐水口５０への水の供給が停止される。
電磁弁４２４の開弁動作によって、水栓本体１２のシングルカートリッジ１４を切り換えてそれから給水・給湯管４８２に給湯された湯が、吐水管２４０の吐水口５０に供給される。
電磁弁４２４の閉弁動作によって、吐水管２４０の吐水口５０への湯の供給が停止される。
【００６８】
第３の実施の形態の水栓装置４１０の水栓１０は、シングルカートリッジ１４が装着された水栓本体１２と、吐水口５０とが分離されている。
そして、洗面化粧台７００に、別々に取り付けられている水栓本体１２と吐水口５０との間に配設された給水・給湯管４８２に、電磁弁４２４が、配設されている点において、第２の実施の形態と異なる。
【００６９】
第２の実施の形態においては、電磁弁３２４は、水栓本体１２の湯流入通路２２０に対して湯を供給する給湯管４１２と止水栓(湯)４２２との間に組み込まれている。この第３の実施の形態においては、電磁弁３２４は、温度調節機器４２０より湯流入通路２２０に近い位置に配設されていない。
第２の実施の形態においては、電磁弁３２８は、水栓本体１２の水流入通路２２２に対して水を供給する給水管４１４と止水栓４４０との間に組み込まれている。この第３の実施の形態においては、電磁弁３２８は、分岐部４１８より水流入通路２２２に近い位置に配設されていない。
【００７０】
第３の実施の形態の水栓装置４１０は、水栓１０が湯流入孔２２及び水流入孔２４が設けられた固定ディスク２０と、該固定ディスク２０に摺動可能に重合配置され、湯流入孔２２から流入される湯及び水流入孔２４から流入される水を湯水流出孔２６に流出させる湯水連通路４２を有する可動ディスク４０とを備えている。
水栓装置４１０は、前記可動ディスク４０を操作する操作ハンドル（操作レバー１６）を第１の方向側及び前記第１の方向とは反対側である第２の方向側へ回動することによって、湯又は水が吐出され、その吐出量が調節されるように構成された水栓１０と、給湯管４１２から送水されてきた湯の温度を調節する温度調節手段である温度調節器４２０が、湯流入孔２２に接続された給湯管４１２に配設されている。
【００７１】
給湯管４１２は、止水栓４２２に近い領域に、温度調節手段である温度調節機器４２０が配設され、湯流入孔２２から最適な湯温の湯が、流入するように構成されている。
【００７２】
温度調節機器４２０は、サーモスタット又はミキシングを含む温度調節器である。
前記温度調節手段である温度調節機器４２０は、水流入孔２４に接続された給水管４１４に設けられた分岐部４１８から分岐した分岐給水管４１６が接続され、常に水が給水管４１４から供給されるように構成され、給湯管４１２で送水されてきた湯と混合して湯の温度を調節するように構成されている。
更に、人体を検知する検知手段が配設され、前記検知手段により人体を検知したことにより送られる電気信号により前記電磁弁が作動するように構成されている。
【００７３】
第３の実施の形態の水栓装置４１０は、制御部４５０と、人感センサー４５２と、電磁弁４２４と、これらを接続する信号線及び電気配線４６０、４６２、４６４及び４６６を備えている。
【００７４】
電磁弁４２４は、制御部４５０と信号線及び電気配線４６２、４６４とによって接続されている。
電磁弁４２４の開弁動作によって、吐水管２４０の吐水口５０に湯が供給され、電磁弁４２４の開弁動作によって、吐水管２４０の吐水口５０に水が供給される。
電磁弁４２４の閉弁動作によって、湯及び水の供給が停止される。
【００７５】
人感センサー４５２は、人体を検知する検知手段であり、電磁弁４２４の開閉を遠隔操作することにより、操作レバー１６で予め調整した水量を吐水口５０から、吐出することができる。
【００７６】
制御部４５０は、人感センサー４５２より入力された各信号等を取得し、その取得された各信号などに基づいて、温度調節機器４２０と、電磁弁４２４とを制御するために設けられる。
【００７７】
第３の実施の形態の水栓装置４１０は、洗面化粧台７００に配設されている。
洗面化粧台７００は、天板７１２と、天板７１２に設けられたシンク７１４と、シンク７１４の下側に設けられたキャビネット７１６と、天板７１２に設けられたシンク７１４の向こう側に天板７１２に連設された垂直の壁部７１８とを備える。
水栓装置４１０の水栓１０は、その水栓本体１２を天板７１２に連設された壁部７１８の水栓設置領域７２０に取り付けることにより、配設されている。
また、吐水口５０を天板７１２に連設された壁部７１８の水栓設置領域７２０に取り付けることにより、配設されている。
【００７８】
前記水栓１０に接続される給水管を構成する給湯管４１２及び給水管４１４の上端側が、水栓設置領域６２０に配設され、水栓全体１２のシングルカートリッジ１４に連結されており、給水管を構成する給湯管４１２及び給水管４１４の下端側が、キャビネット６１６の内部又は外部に配設されている。
給湯管４１２は、止水栓（湯）４２２に接続され、給湯器４２６に接続されている。
給水管４１４は、止水栓４４０に接続され、止水栓４４０に、水道管４４２が接続されている。
【００７９】
以上のように、本発明の実施の形態は、前記記載で開示されているが、本発明は、これ
に限定されるものではない。
すなわち、本発明の技術的思想及び目的の範囲から逸脱することなく、以上説明した実
施の形態に対し、機序、形状、材質、数量、位置又は配置等に関して、様々の変更を加え
ることができるものであり、それらは、本発明に含まれるものである。
【００８０】
例えば、操作ハンドルは、栓棒１５０側より手前側に伸びる棒状のレバーを備えていた
が、このような棒状のレバーが延伸されていない例えば円柱状の操作ハンドルであっても
よい。
また、前記実施の形態においては、水栓本体１２の中心軸（可動ディスクの回転軸Ｐ）
が垂直方向に伸びるように設置される構造を備えていたが、例えば、水栓本体１２の中心
軸（可動ディスクの回転軸Ｐ）が水平方向に伸びるような構造としても良い。
また、クリック機構を構成するディスクガイド１４０の係止凹部２１８は、図１７にお
いて示すように、複数の係止凹部（２１８ａ、２１８ｂ、２１８ｃ、２１８ｄ、２１８ｅ
、２１８ｆ、２１８ｇ）が、突出部１４４に配設された構成としてもよい。図示例におい
ては、係止凹部２１８ｄを中央線Ｃの位置に形成し、その右側に係止凹部２１８ａ、２１
８ｂ及び２１８ｄが均等な間隔をおいて配設されるとともにその左側に係止凹部２１８ｅ
、２１８ｆ及び２１８ｇが均等な間隔を置いて配設されている。かかる構成とすることに
より、ディスクガイド１４０の回された角度すなわち開度を示す。
【符号の説明】
【００８１】
１０    水栓
１２    水栓本体
１４    シングルカートリッジ
１６    操作レバー
２０    固定ディスク
２２    湯流入孔
６０  第１の孔縁
６２  第２の孔縁
６４  第３の孔縁
６６  第４の孔縁
２４    水流入孔
７０  第１の孔縁
７２  第２の孔縁
７４  第３の孔縁
７６  第４の孔縁
２６    湯水流出孔
９０  第１の孔縁
９２  第２の孔縁
９４  第３の孔縁
９６  第４の孔縁
２８    固定ディスク固定部
４０    可動ディスク
４２    湯水連通路
８０  第１の孔縁
８２  第２の孔縁
８４  第３の孔縁
８６  第４の孔縁
４８    固定凹部
５０    吐水口
１１０    上カバー
１１２    クリックリング取付部
１１４    旋回停止部
１１６    連結穴
１１８    カートリッジ収容部
１２０    下カバー
１２４    連結突起
１２６    固定ディスク固定部
１２８    カートリッジ収容部
１３０    サポートプレート
１３２    栓棒取付穴
１３４    転回穴
１３６    可動ディスク取付部
１３８    固定凸部
１４０    ディスクガイド
１４２    ベース部
１４２Ａ  旋回停止部
１４４    突出部
１４６    栓棒取付孔
１４８    ピン取付孔
１５０    栓棒
１５２    ピン取付穴
１６０    ピン
１７０    レバー受け
１８０    第１パッキン
１９０    第２パッキン
２００    Ｏリング
２０２    消音アミ
２１０    クリックリング
２１２    係止凸部
２１８    ディスクガイドの係止凹部
２２０    湯流入通路
２２２    水流入通路
２２４    湯水流出通路
２４０    吐出管
３１０    水栓装置
３１２    給湯管
３１４    給水管
３１６    分岐給水管
３１８    分岐部
３２０    温度調節手段
３２２    止水栓（湯）
３２４    電磁弁
３２６    給湯器
３２８    電磁弁
３４０    止水栓
３４２    水道管
３５０    制御部
３５２    人感センサ
３６０、３６２、３６４、３６６   信号線及び電気配線
４１０    水栓装置
４１２    給湯管
４１４    給水管
４１６    分岐給水管
４１８    分岐部
４２０    温度調節手段
４２２    止水栓（湯）
４２４    電磁弁
４２６    給湯器
４４０    止水栓
４４２    水道管
４５０    制御部
４５２    人感センサ
４６０、４６２、４６４、４６６   信号線及び電気配線
４８２    給水・給湯管
６００    流し台
６１２    天板
６１４    シンク
６１６    キャビネット
６２０、７２０    水栓設置領域
７００    洗面化粧台
７１２    天板
７１４    シンク
７１６    キャビネット
７１８    壁部
【図１】
2020133385.tif 000003
【図２】
2020133385.tif 000004
【図３】
2020133385.tif 000005
【図４】
2020133385.tif 000006
【図５】
2020133385.tif 000007
【図６】
2020133385.tif 000008
【図７】
2020133385.tif 000009
【図８】
2020133385.tif 000010
【図９】
2020133385.tif 000011
【図１０】
2020133385.tif 000012
【図１１】
2020133385.tif 000013
【図１２】
2020133385.tif 000014
【図１３】
2020133385.tif 000015
【図１４】
2020133385.tif 000016
【図１５】
2020133385.tif 000017
【図１６】
2020133385.tif 000018
【図１７】
2020133385.tif 000019
【図１８】
2020133385.tif 000020
【図１９】
2020133385.tif 000021
【図２０】
2020133385.tif 000022
【図２１】
2020133385.tif 000023
【図２２】
2020133385.tif 000024